(57)【要約】【課題】一般的なダクトレールを使用して容易に配線を行うことができるとともに、天井からの吊り下げ、天井への直付け、壁へ直付け等の種々の取付方法が選択できるダクトレールカバーを提供する。【解決手段】化粧カバー１０は、保持部材を係合させるために両端縁に鉤状片１３を備えた第１溝部１２と、前記第１溝部１２の反対面側に設けられてダクトレール５２を装着可能な第２溝部１８と、を備え、前記第２溝部１８に装着されたダクトレール５２の内部と前記第１溝部１２とを連通させることで、ダクトレール５２内の導線５３を前記第１溝部１２の開口から外部に引き出し可能とした。【選択図】図３
2014143092.tif 000002
【特許請求の範囲】
【請求項１】
照明器具を任意の場所に取り付けできるダクトレールを覆うダクトレールカバーであって、
ダクトレールを覆う化粧カバーと、
躯体に固定されて前記化粧カバーを保持する保持部材と、
を備え、
前記化粧カバーは、前記保持部材を係合させるために両端縁に鉤状片を備えた第１溝部と、前記第１溝部の反対面側に設けられてダクトレールを装着可能な第２溝部と、を備え、
前記第２溝部に装着されたダクトレールの内部と前記第１溝部とを連通させることで、ダクトレール内の導線を前記第１溝部の開口から外部に引き出し可能としたことを特徴とする、ダクトレールカバー。
【請求項２】
前記保持部材として使用可能な吊下げ具を備え、
前記吊下げ具は、ワイヤと、前記ワイヤの端部に固定されて前記鉤状片に係合する受け金具と、を備えることを特徴とする、請求項１記載のダクトレールカバー。
【請求項３】
前記保持部材として使用可能な裏面化粧材を備え、
前記裏面化粧材は、躯体に固定するための躯体固定部と、前記鉤状片に係合する係合片と、を備えることを特徴とする、請求項１又は２記載のダクトレールカバー。
【請求項４】
前記第２溝部の内部には受溝が形成されており、この受溝に取り付けたクリップを介して、前記第２溝部に化粧フタ材を取り付けたことを特徴とする、請求項１〜３のいずれかに記載のダクトレールカバー。
【請求項５】
前記第２溝部の側壁は、開口方向に行くに従って内壁面が内側に傾斜して厚みが増すように形成され、
前記第１溝部の鉤状片の内側と前記第２溝部の側壁の内側とに渡って連続するシートを前記化粧カバーに貼着したことを特徴とする、請求項１〜４のいずれかに記載のダクトレールカバー。
【発明の詳細な説明】
【技術分野】
【０００１】
この発明は、照明器具を任意の場所に取り付けできるダクトレールを覆うダクトレールカバーに関する。
【背景技術】
【０００２】
従来、照明器具をレール上の任意の場所に取り付けできるパーツとしてダクトレールが使用されている。こうしたダクトレールは、照明器具への配線を行うことができるように形成されており、天井などに直接ビス止めして使用することも可能である。
【０００３】
しかしながら、ダクトレールを天井などに直接ビス止めして使用した場合、ケースウェイとダクトレールによる二重配線を行わなければならない場合があり、配線施工が煩雑となるとともに意匠性を損ねるという問題があった。
【０００４】
こうした問題を解決するために、特許文献１には、屋外から配線された導線を収納するスペースと、該スペースの下方に屋内へ配線する導線を収納するスペースとを設けてなる配電部材において、該配電部材の両側壁を垂下して形成した一対の把持片を介してライティングダクトを着脱自在に嵌挿した屋内配電部材が記載されている。このような屋内配電部材によれば、導線を収納するスペースを備えつつ、ダクトレールを収容することもできるので、屋内配電部材の内部に配線をまとめることができ、二重配線の問題が発生しない。
【０００５】
なお、上記した特許文献１記載の屋内配電部材は躯体への取り付け方が不明であるが、例えば特許文献２には、電源線に接続された導線により電気器具に給電する長尺物の配線ダクト本体と、該配線ダクト本体の取付面から突設され該取付面から引き出した電源線を挿通して配線ダクト本体に導くパイプと、該パイプの下端部に設けられ前記配線ダクト本体を吊り下げる吊り金具とを有する配線ダクトが開示されている。
【先行技術文献】
【特許文献】
【０００６】
【特許文献１】実開昭６１−１５１２８３号公報
【特許文献２】特開平１１−９８６４４号公報
【発明の概要】
【発明が解決しようとする課題】
【０００７】
しかし、上記した特許文献１記載の屋内配電部材は、配電部材がダクトレールを含めて３部材に分かれており、組立てに手間がかかり施工性が悪いという問題があった。また、躯体への取付方法については何ら考慮されていなかった。
【０００８】
また、特許文献２記載の配線ダクトは、電源線を隠しているパイプによって配線ダクト本体を吊り下げているため、パイプの径が太くなるので意匠性が悪いという問題があった。また、取付方法が吊り下げタイプに限定されるため、壁へ直付け等に対応したものではなかった。
【０００９】
そこで、本発明は、一般的なダクトレールを使用して容易に配線を行うことができるとともに、天井からの吊り下げ、天井への直付け、壁へ直付け等の種々の取付方法が選択できるダクトレールカバーを提供することを課題とする。
【課題を解決するための手段】
【００１０】
本発明は、上記した課題を解決するためになされたものであり、以下を特徴とする。
【００１１】
（請求項１）
請求項１に記載のダクトレールカバーは、照明器具を任意の場所に取り付けできるダクトレールを覆うダクトレールカバーであって、ダクトレールを覆う化粧カバーと、躯体に固定されて前記化粧カバーを保持する保持部材と、を備え、前記化粧カバーは、前記保持部材を係合させるために両端縁に鉤状片を備えた第１溝部と、前記第１溝部の反対面側に設けられてダクトレールを装着可能な第２溝部と、を備え、前記第２溝部に装着されたダクトレールの内部と前記第１溝部とを連通させることで、ダクトレール内の導線を前記第１溝部の開口から外部に引き出し可能としたことを特徴とする。
【００１２】
（請求項２）
請求項２に記載の発明は、上記した請求項１記載の発明の特徴点に加え、以下の点を特徴とする。
すなわち、前記保持部材として使用可能な吊下げ具を備え、前記吊下げ具は、ワイヤと、前記ワイヤの端部に固定されて前記鉤状片に係合する受け金具と、を備えることを特徴とする。
【００１３】
（請求項３）
請求項３に記載の発明は、上記した請求項１又は２記載の発明の特徴点に加え、以下の点を特徴とする。
すなわち、前記保持部材として使用可能な裏面化粧材を備え、前記裏面化粧材は、躯体に固定するための躯体固定部と、前記鉤状片に係合する係合片と、を備えることを特徴とする。
【００１４】
（請求項４）
請求項４に記載の発明は、上記した請求項１〜３のいずれかに記載の発明の特徴点に加え、以下の点を特徴とする。
すなわち、前記第２溝部の内部には受溝が形成されており、この受溝に取り付けたクリップを介して、前記第２溝部に化粧フタ材を取り付けたことを特徴とする。
【００１５】
（請求項５）
請求項５に記載の発明は、上記した請求項１〜４のいずれかに記載の発明の特徴点に加え、以下の点を特徴とする。
すなわち、前記第２溝部の側壁は、開口方向に行くに従って内壁面が内側に傾斜して厚みが増すように形成され、前記第１溝部の鉤状片の内側と前記第２溝部の側壁の内側とに渡って連続するシートを前記化粧カバーに貼着したことを特徴とする。
【発明の効果】
【００１６】
請求項１に記載の発明は上記の通りであり、化粧カバーは、保持部材を係合させるために両端縁に鉤状片を備えた第１溝部と、前記第１溝部の反対面側に設けられてダクトレールを装着可能な第２溝部と、を備え、前記第２溝部に装着されたダクトレールの内部と前記第１溝部とを連通させることで、ダクトレール内の導線を前記第１溝部の開口から外部に引き出し可能としたものである。このような構成によれば、一般的なダクトレールを使用して容易に施工できるとともに、ダクトレールを覆うので意匠性が良い。また、鉤状片を備えた第１溝部を使用して様々な取付方法に対応することができるので、例えば、天井からの吊り下げ、天井への直付け、壁へ直付け等の種々の取付方法を選択することができる。また、ダクトレール内の導線を第１溝部の開口から外部に引き出し可能であるので、配線も容易である。
【００１７】
また、請求項２に記載の発明は上記の通りであり、前記保持部材として使用可能な吊下げ具を備え、前記吊下げ具は、ワイヤと、前記ワイヤの端部に固定されて前記鉤状片に係合する受け金具と、を備えている。このような構成によれば、鉤状片により吊下げ具を確実に保持することができ、ダクトレールカバーの脱落を防止することができる。また、第１溝部の開口から引き出した導線をワイヤに絡めるようにすれば意匠性も良い。
【００１８】
また、請求項３に記載の発明は上記の通りであり、前記保持部材として使用可能な裏面化粧材を備え、前記裏面化粧材は、躯体に固定するための躯体固定部と、前記鉤状片に係合する係合片と、を備えている。このような構成によれば、鉤状片により裏面化粧材を確実に保持することができ、ダクトレールカバーの脱落を防止することができる。また、第１溝部の開口から引き出した導線は裏面へ敷設されているため、導線が視認されることがないので意匠性が良い。
【００１９】
また、請求項４に記載の発明は上記の通りであり、前記第２溝部の内部には受溝が形成されており、この受溝に取り付けたクリップを介して、前記第２溝部に化粧フタ材を取り付けられるので、ダクトレールが取り付けられていない部分であっても第２溝部の内部が視認されず、意匠性が良い。また、第２溝部の内部にホコリ等を侵入しづらくすることができる。
【００２０】
また、請求項５に記載の発明は上記の通りであり、前記第２溝部の側壁は、開口方向に行くに従って内壁面が内側に傾斜して厚みが増すように形成され、前記第１溝部の鉤状片の内側と第２溝部の側壁の内側とによって、シート貼りの折返しが確実に行え、作業性が良い。
【図面の簡単な説明】
【００２１】
【図１】ダクトレールカバーを使用して天井から照明器具を吊り下げた状態を示す図である。
【図２】化粧カバーの（ａ）斜視図、（ｂ）正面図である。
【図３】図１におけるＡ−Ａ断面図（照明器具を省略）である。
【図４】図１におけるＢ−Ｂ断面図である。
【図５】図１におけるＣ−Ｃ断面図である。
【図６】化粧カバーに化粧フタ材を取り付ける前の（ａ）斜視図、（ｂ）正面図である。
【図７】化粧カバーに化粧フタ材を取り付けた後の斜視図である。
【図８】ダクトレールカバーを使用して壁へ照明器具を直付けした状態を示す図である。
【図９】図８におけるＤ−Ｄ断面図である。
【図１０】図８におけるＥ−Ｅ断面図である。
【図１１】照明器具を天井にレイアウトした例を示す図である。
【図１２】照明器具を壁にレイアウトした例を示す図である。
【発明を実施するための形態】
【００２２】
本発明の実施形態について、図を参照しながら説明する。
本実施形態に係るダクトレールカバー１は、照明器具５４を任意の場所に取り付けできるダクトレール５２を覆うものであり、例えば図１に示すように、照明器具５４を取り付けたダクトレール５２が長手方向側面から見えないようにダクトレール５２を覆っている。なお、ダクトレール５２は一般的に販売等されているものであり、ダクトレール５２に係合可能な装着部５４ａを備えた照明器具５４を取付可能な長尺部材である。ダクトレール５２に照明器具５４を取り付ける際には、ダクトレール５２の取付溝５２ａ（図３参照）に照明器具５４の装着部５４ａを装着することで、レール上の任意の位置に照明器具５４を取り付けることができる。
【００２３】
このダクトレールカバー１は、化粧カバー１０と、化粧フタ材４６と、クリップ４５と、保持部材と、を備えている。
【００２４】
化粧カバー１０は、ダクトレール５２を覆う本体であり、図２に示すような長尺材である。この化粧カバー１０は、躯体に対向して配置される被保持面１１と、被保持面１１の反対面であってダクトレール５２を保持する側のレール取付面１７と、を備えた四角柱状に形成されている。
【００２５】
被保持面１１には、長手方向に開口した第１溝部１２が形成されており、この第１溝部１２の両端縁は内側に略直角に曲折し、端部が内側に折り返された鉤状片１３を形成している。この鉤状片１３は後述する保持部材を係合させるためのものである。
【００２６】
レール取付面１７には、長手方向に開口した第２溝部１８が形成されている。この第２溝部１８はダクトレール５２を装着するための溝である。なお、ダクトレール５２を第２溝部１８に装着する際には、図３に示すように、ダクトレール５２の内側からビス２９を貫通させ、このビス２９を化粧カバー１０の支持壁２７に螺着させて固定する。これにより、確実にダクトレール５２が固定され、ダクトレール５２が外れることがない。
【００２７】
上記した第２溝部１８の側壁１９は、図２に示すように、開口方向に行くに従って内壁面が内側に傾斜して厚みが増すように形成されている。これにより、第２溝部１８の側壁１９には、奥側に幅狭部２０が形成され、開口側に幅広部２１が形成されている。この幅狭部２０及び幅広部２１は、シート５０を貼る際に折返しを確実にするためのものである。すなわち、図２（ｂ）に示すように、第１溝部１２の内側と第２溝部１８の内側とに渡って連続するシート５０を貼着するときに、鉤状片１３と幅狭部２０及び幅広部２１とによって折り返し作業が容易となっており、化粧カバー１０の表面全体に確実にシート５０を貼着できるようになっている。なお、シート５０は、意匠性を高めたり防汚性を高めたりするために貼着されるものである。
【００２８】
また、第２溝部１８の内部には受溝２２が形成されている。この受溝２２は、第２溝部１８の開口方向と同じ向きに開口しており、内面に逆止突起２３が突出形成されている。この受溝２２は、後述するクリップ４５を係止させるためのものである。
【００２９】
化粧カバー１０は、上記した第１溝部１２と第２溝部１８との間に２つの壁部を備えている。すなわち、中間壁２５と支持壁２７であり、この２つの壁部によって化粧カバー１０の内部空間は３つに区切られている。具体的には、第１溝部１２の内部が保持部材用空間Ｓ１を形成し、中間壁２５と支持壁２７との間の空間が配線用空間Ｓ２を形成し、第２溝部１８の内部がダクトレール用空間Ｓ３を形成している。保持部材用空間Ｓ１は、後述する保持部材を格納するための空間である。配線用空間Ｓ２は、ダクトレール５２の外に配線される電源線などを格納するための空間である。ダクトレール用空間Ｓ３は、ダクトレール５２を収容するための空間である。
【００３０】
化粧フタ材４６は、図５〜７に示すように、ダクトレール５２とほぼ同じ断面積で形成された部材であり、ダクトレール５２が取り付けられていない第２溝部１８を埋めるために使用されるものである。この化粧フタ材４６は取付面にリブ状の突起４７を備えている。
【００３１】
クリップ４５は、図５〜７に示すように、化粧フタ材４６の突起４７に取り付けられるＵ字形の部材である。化粧フタ材４６はこのクリップ４５を介して第２溝部１８に取り付けられる。すなわち、化粧フタ材４６の突起４７にクリップ４５を取り付け、突起４７を化粧カバー１０の受溝２２に挿入することで、化粧フタ材４６は第２溝部１８に取り付けられる。なお、クリップ４５の外面には逆止爪４５ａが形成されており、この逆止爪４５ａが受溝２２の逆止突起２３と噛合うことで、受溝２２に挿入されたクリップ４５が抜け落ちないように形成されている。
【００３２】
保持部材は、躯体に固定されて化粧カバー１０を保持するものである。本実施形態においては、吊下げ具３０と、裏面化粧材４０と、の２種類の保持部材が使用可能となっている。
【００３３】
吊下げ具３０は、図３に示すように、ワイヤ３１と、受け金具３２と、座金３３と、挿通ネジ３４と、を備えている。ワイヤ３１は、天井５７に固定されて垂下するものであり、例えば金属製のワイヤである。このワイヤ３１の下端には、受け金具３２が固着されている。この受け金具３２は、第１溝部１２の内部（保持部材用空間Ｓ１）に挿通されて鉤状片１３に係合し、鉤状片１３を下方から支持するものである。この受け金具３２には挿通ネジ３４が螺合可能となっており、受け金具３２で鉤状片１３を受けた状態で鉤状片１３の上に座金３３を配置し、座金３３の更に上から挿通ネジ３４を締結することで、受け金具３２と座金３３で鉤状片１３を挟み込んで固定できるように形成されている。このような吊下げ具３０を使用すれば、天井５７からの吊り下げ支持によりダクトレールカバー１を取り付けることができる。なお、化粧カバー１０の両側端に小口フタ材（図示なし）を設けることができる。
【００３４】
また、裏面化粧材４０は、図９及び図１０に示すように、躯体に固定するための躯体固定部４１と、化粧カバー１０の鉤状片１３に係合する一対の係合片４２と、を備えている。躯体固定部４１は躯体面に当接する板状部であり、一対の係合片４２はこの躯体固定部４１に対して垂直に立設して設けられている。一対の係合片４２は化粧カバー１０の第１溝部１２に挿入されて鉤状片１３の内側に係合するようになっている。このような裏面化粧材４０を使用すれば、天井５７や壁５８にダクトレールカバー１を直付けすることができる。なお、化粧カバー１０の両側端に小口フタ材（図示なし）を設けることができる。
【００３５】
このように、本実施形態のダクトレールカバー１は、２種類の保持部材が使用可能であるので、例えば図１１に示すように、吊下げタイプと直付けタイプとを組み合わせたレイアウトとすることもできる。また、図１１に示すように、化粧フタ材４６を取り付けたダクトレールカバー１を天井５７に直付けし、ダクトレールカバー１自体を装飾として使用してもよい。また、図１２に示すように、化粧フタ材４６を取り付けたダクトレールカバー１を壁５８に直付けし、ディスプレイ用の棚として使用してもよい。
【００３６】
なお、本実施形態においては、図４に示すように、中間壁２５や支持壁２７に挿通孔２６、２８を設けることで、ダクトレール５２の内部と第１溝部１２とが連通しており、ダクトレール５２に照明器具５４を取り付けたときに照明器具５４へ給電するための導線５３を第１溝部１２の開口から外部に引き出し可能となっている。このため、引き出された導線５３を、ワイヤ３１に絡めたり、壁裏へ導いたりすることができるので、意匠性が良い。
【００３７】
以上説明したように、本実施形態によれば、化粧カバー１０は、保持部材を係合させるために両端縁に鉤状片１３を備えた第１溝部１２と、前記第１溝部１２の反対面側に設けられてダクトレール５２を装着可能な第２溝部１８と、を備え、前記第２溝部１８に装着されたダクトレール５２の内部と前記第１溝部１２とを連通させることで、ダクトレール５２内の導線５３を前記第１溝部１２の開口から外部に引き出し可能としたものである。このような構成によれば、一般的なダクトレール５２を使用して容易に施工できるとともに、ダクトレール５２を覆うので意匠性が良い。また、鉤状片１３を備えた第１溝部１２を使用して様々な取付方法に対応することができるので、例えば、天井５７からの吊り下げ、天井５７への直付け、壁５８へ直付け等の種々の取付方法を選択することができる。また、ダクトレール５２内の導線５３を第１溝部１２の開口から外部に引き出し可能であるので、配線も容易である。
【００３８】
また、前記保持部材として使用可能な吊下げ具３０を備え、前記吊下げ具３０は、ワイヤ３１と、前記ワイヤ３１の端部に固定されて前記鉤状片１３に係合する受け金具３２と、を備えている。このような構成によれば、鉤状片１３により吊下げ具３０を確実に保持することができ、ダクトレールカバー１の脱落を防止することができる。また、第１溝部１２の開口から引き出した導線５３をワイヤ３１に絡めるようにすれば意匠性も良い。
【００３９】
また、前記保持部材として使用可能な裏面化粧材４０を備え、前記裏面化粧材４０は、躯体に固定するための躯体固定部４１と、前記鉤状片１３に係合する係合片４２と、を備えている。このような構成によれば、鉤状片１３により裏面化粧材４０を確実に保持することができ、ダクトレールカバー１の脱落を防止することができる。また、第１溝部１２の開口から引き出した導線５３は裏面へ敷設されているため、導線５３が視認されることがないので意匠性が良い。
【００４０】
また、前記第２溝部１８の内部には受溝２２が形成されており、この受溝２２に取り付けたクリップ４５を介して、前記第２溝部１８に化粧フタ材４６を取り付けられるので、ダクトレール５２が取り付けられていない部分であっても第２溝部１８の内部が視認されず、意匠性が良い。また、第２溝部１８の内部にホコリ等を侵入しづらくすることができる。
【００４１】
また、鉤状片１３の折返し片１４と第２溝部１８の側壁１９の厚みとによって、シート５０貼りの折返しが確実に行え、作業性が良い。
【符号の説明】
【００４２】
１  ダクトレールカバー
１０  化粧カバー
１１  被保持面
１２  第１溝部
１３  鉤状片
１７  レール取付面
１８  第２溝部
１９  側壁
２０  幅狭部
２１  幅広部
２２  受溝
２３  逆止突起
２５  中間壁
２６  挿通孔
２７  支持壁
２８  挿通孔
２９  ビス
３０  吊下げ具（保持部材）
３１  ワイヤ
３２  受け金具
３３  座金
３４  挿通ネジ
４０  裏面化粧材（保持部材）
４１  躯体固定部
４２  係合片
４５  クリップ
４５ａ  逆止爪
４６  化粧フタ材
４７  突起
５０  シート
５２  ダクトレール
５２ａ  取付溝
５３  導線
５４  照明器具
５４ａ  装着部
５７  天井（躯体）
５８  壁（躯体）
Ｓ１  保持部材用空間
Ｓ２  配線用空間
Ｓ３  ダクトレール用空間
【図１】
2014143092.tif 000003
【図２】
2014143092.tif 000004
【図３】
2014143092.tif 000005
【図４】
2014143092.tif 000006
【図５】
2014143092.tif 000007
【図６】
2014143092.tif 000008
【図７】
2014143092.tif 000009
【図８】
2014143092.tif 000010
【図９】
2014143092.tif 000011
【図１０】
2014143092.tif 000012
【図１１】
2014143092.tif 000013
【図１２】
2014143092.tif 000014